(57)【特許請求の範囲】
【請求項１】
離間して配置された少なくとも２つの支持部間に架設される家具用シートにおいて、
シート本体と、
前記シート本体の縁部に設けられ、対応する前記支持部に形成された凹部内にそれぞれ挿入される縁材と、を備え、
前記縁材のうち、前記凹部への挿入方向における少なくとも手前側となる端部には、前記挿入方向の手前側に向けて凸の弧状部が形成され、
前記縁材は、
前記シート本体の第１面側に配置された第１部材と、
前記シート本体の第２面側に配置され、前記第１部材との間に前記シート本体を挟持する第２部材と、を有し、
前記弧状部は、弾性変形可能に形成されるとともに、前記第１部材及び前記第２部材における前記挿入方向の手前側となる端部同士を接続する家具用シート。
【請求項２】
離間して配置された少なくとも２つの支持部間に架設される家具用シートにおいて、
シート本体と、
前記シート本体の縁部に設けられ、対応する前記支持部に形成された凹部内にそれぞれ挿入される縁材と、を備え、
前記縁材のうち、前記凹部への挿入方向における少なくとも手前側となる端部には、前記挿入方向の手前側に向けて凸の弧状部が形成され、
前記弧状部は、弾性変形可能に構成されているとともに、前記凹部の開口縁よりも前記凹部の内側に位置している家具用シート。
【請求項３】
離間して配置された少なくとも２つの支持部と、
前記支持部間に架設された請求項１又は請求項２に記載の家具用シートと、を備え、
前記支持部には、前記支持部の外周面で開口するとともに、前記家具用シートの前記縁材が嵌合された凹部が形成され、
前記シート本体は、前記弧状部に支持されて前記凹部から引き出されている家具用面構成部材。
【請求項４】
請求項３に記載の家具用面構成部材を備えている家具。
【発明の詳細な説明】
【技術分野】
【０００１】
本発明は、家具用シート、家具用面構成部材及び家具に関するものである。
【背景技術】
【０００２】
椅子の背凭れとして、枠状の背凭れフレームと、背凭れフレームの開口部を閉塞するように背凭れフレームに張設された張材と、を備えた構成が知られている（例えば、下記特許文献１参照）。背凭れフレームには、張材を取り付けるための嵌合凹部が形成されている。
【０００３】
張材は、メッシュ状のシート本体と、シート本体の縁部に設けられた縁材と、を有している。縁材は、シート本体の縁部とともに嵌合凹部内に嵌合されている。シート本体は、嵌合凹部から引き出された後、縁材のうち嵌合凹部への挿入方向の手前側端部や背凭れフレームの外周面に倣って背凭れフレームの前面に回り込んでいる。これにより、張材は、シート本体に所望の張力が付与された状態で背凭れフレームに張設される。
【先行技術文献】
【特許文献】
【０００４】
【特許文献１】特開２０１１−４５５７３号公報
【発明の概要】
【発明が解決しようとする課題】
【０００５】
ところで、シート本体では、自身の復元力や着座者の着座に伴う面直方向（厚さ方向）の荷重を受ける。そのため、縁材の手前側端部とシート本体との間や、背凭れフレームとシート本体との間には比較的大きな摩擦抵抗が生じる。したがって、耐久性向上の観点から、上述した摩擦抵抗の軽減が望まれている。
しかしながら、上述した特許文献１の構成にあっては、縁材の手前側端部が角部となっているため、縁材の手前側端部とシート本体と間に作用する面圧が大きく、縁材とシート本体との間に作用する摩擦抵抗を軽減する点で未だ改善の余地がある。
【０００６】
本発明は、上記事情に鑑みてなされたものであり、縁材とシート本体との間に作用する摩擦抵抗を軽減してシート本体の経年劣化を抑制し、信頼性及び耐久性を確保できる家具用シート、家具用面構成部材及び家具を提供することを目的とする。
【課題を解決するための手段】
【０００７】
上記目的を達成するために、本発明に係る家具用シートは、離間して配置された少なくとも２つの支持部間に架設される家具用シートにおいて、シート本体と、前記シート本体の縁部に設けられ、対応する前記支持部に形成された凹部内にそれぞれ挿入される縁材と、を備え、前記縁材のうち、前記凹部への挿入方向における少なくとも手前側となる端部には、前記挿入方向の手前側に向けて凸の弧状部が形成され、前記縁材は、前記シート本体の第１面側に配置された第１部材と、前記シート本体の第２面側に配置され、前記第１部材との間に前記シート本体を挟持する第２部材と、を有し、前記弧状部は、弾性変形可能に形成されるとともに、前記第１部材及び前記第２部材における前記挿入方向の手前側となる端部同士を接続する。
【０００８】
この構成によれば、縁材が凹部内に挿入されることで、シート本体が支持部間に架設されることになる。このとき、縁材における挿入方向の手前側となる端部（以下、単に手前側端部という。）に弧状部が形成されているため、シート本体が手前側端部に倣って支持部間に架設される場合に、挿入方向の手前側に向けて凸の弧状部に支持されることになり、弧状部とシート本体との間に作用する面圧を低減できる。
その結果、シート本体に所望の張力を付与した上で、シート本体の経年劣化を抑制し、信頼性及び耐久性を確保できる。
さらに、シート本体への荷重入力に伴い弧状部が弾性変形した場合に、第１部材及び第２部材が両者の隙間内、若しくはシート本体の縁部とともに弧状部の変形に追従する。これにより、弧状部と第１部材及び第２部材との接続部分に応力が集中するのを抑制できる。
また、第１部材及び第２部材の何れか一方のみに弧状部を形成する場合に比べて、弧状部の曲率半径を大きくすることができる。そのため、弧状部をより弾性変形させ易くすることができ、シート本体に入力される荷重をより低減できる。
本発明に係る家具用シートは、離間して配置された少なくとも２つの支持部間に架設される家具用シートにおいて、シート本体と、前記シート本体の縁部に設けられ、対応する前記支持部に形成された凹部内にそれぞれ挿入される縁材と、を備え、前記縁材のうち、前記凹部への挿入方向における少なくとも手前側となる端部には、前記挿入方向の手前側に向けて凸の弧状部が形成され、前記弧状部は、弾性変形可能に構成されているとともに、前記凹部の開口縁よりも前記凹部の内側に位置している。
【０００９】
この構成によれば、弧状部が弾性変形可能に構成されているため、シート本体のうち弧状部に支持された部分に荷重が入力された際には弧状部が弾性変形することになる。これにより、シート本体に入力される荷重を緩和できる。
【００１２】
本発明に係る家具用面構成部材は、離間して配置された少なくとも２つの支持部と、前記支持部間に架設された上記本発明の家具用シートと、を備え、前記支持部には、前記支持部の外周面で開口するとともに、前記家具用シートの縁材が嵌合された凹部が形成され、前記シート本体は、前記弧状部に支持されて前記凹部から引き出されている。
この構成によれば、上記本発明の家具用シートを備えているため、縁材とシート本体との間に作用する摩擦抵抗を軽減して経年劣化を抑制し、信頼性や耐久性に優れた家具用面構成部材を提供できる。
【００１３】
本発明に係る家具は、上記本発明の家具用面構成部材を備えている。
この構成によれば、上記本発明の家具用面構成部材を備えているため、経年劣化を抑制し、信頼性や耐久性に優れた家具を提供できる。
【発明の効果】
【００１４】
本発明によれば、縁材とシート本体との間に作用する摩擦抵抗を軽減してシート本体の経年劣化を抑制し、信頼性及び耐久性を確保できる。
【図面の簡単な説明】
【００１５】
【図１】実施形態に係る椅子を前方から見た斜視図である。
【図２】実施形態に係る椅子を後方から見た斜視図である。
【図３】実施形態に係る背凭れの分解斜視図である。
【図４】実施形態に係る背凭れフレームの正面図である。
【図５】実施形態に係る図４のＶ−Ｖ線に沿う断面図である。
【図６】図４のＶＩ−ＶＩ線に沿う断面図である。
【図７】図４のＶＩＩ−ＶＩＩ線に沿う断面図である。
【図８】実施形態に係る縦縁材を後方から見た背面図である。
【図９】シート本体への固定前の状態を示す図８のＩＸ−ＩＸ線に相当する断面図である。
【図１０】実施形態に係る上縁材の底面図である。
【図１１】実施形態に係る下縁材の底面図である。
【図１２】図４のＸＩＩ−ＸＩＩ線に沿う断面図である。
【図１３】張材の製造方法を説明するための工程図であって、図９に相当する断面図である。
【図１４】張材の製造方法を説明するための工程図であって、図９に相当する断面図である。
【図１５】張材の製造方法を説明するための工程図であって、図９に相当する断面図である。
【図１６】実施形態の変形例に係る図５に相当する断面図である。
【図１７】実施形態の変形例に係る図５に相当する断面図である。
【発明を実施するための形態】
【００１６】
次に、本発明の実施形態を図面に基づいて説明する。なお、以下の説明において、前後上下左右等の向きは、椅子１に正規姿勢で着座した人（着座者）の向きと同一とする。また、図中において、矢印ＵＰは上方を示し、矢印ＦＲは前方を示し、ＬＨは左方を示している。
【００１７】
［椅子］
図１は、椅子１を前方から見た斜視図である。
図２は、椅子１を後方から見た斜視図である。
図１、図２に示すように、椅子（家具）１は、脚部２と、脚部２の上端部に配設された支基３と、支基３に支持された座体４と、座体４の左右両側に配設された肘掛５と、支基３の後端部から上方に延びる背凭れ（家具用面構成部材）６と、を備えている。
【００１８】
脚部２は、多岐脚７と、多岐脚７の中央部から立設された脚柱８と、を備えている。
多岐脚７の各脚部には、フロア上を走行可能なキャスタ７ａが取り付けられている。
脚柱８には、昇降機構である図示しないガススプリング等が内蔵されている。
【００１９】
支基３は、脚柱８の上端部に取り付けられている。支基３には、上述した昇降機構を調整する図示しない昇降調整機構や、背凭れ６の図示しない傾動調整機構等が内蔵されている。
【００２０】
座体４は、着座者の臀部等を下方から支持する。
肘掛５は、支基３から左右両側にそれぞれ延設された後、座体４に対して左右両側で上方に向けて延設されている。肘掛５は、着座者の腕等を下方から支持する。
【００２１】
［背凭れ］
背凭れ６は、座体４及び肘掛５の後方に配置されている。背凭れ６は、着座者の腰部及び背部を後方から支持する。背凭れ６は、上方から見た平面視で後方に向けて凸の円弧状に形成されている。また、背凭れ６は、左右方向から見た側面視で緩やかなＳ字状に形成されている。
【００２２】
図３は、背凭れ６の分解斜視図である。
図４は、背凭れフレーム１１の正面図である。
図３、図４に示すように、背凭れ６は、背凭れフレーム１１と、背凭れフレーム１１に設けられた張材（家具用シート）１２と、背凭れフレームを上述した支基３に取り付けるための取付ブラケット１３と、を備えている。
背凭れフレーム１１は、前方から見た平面視で矩形枠状に形成されている。背凭れフレーム１１は、着座者の荷重を支持するにあたり、強度部材として機能する。具体的に、背凭れフレーム１１は、左右両側に配置された一対の縦枠部（支持部）２１と、縦枠部２１の上端部同士を接続する上枠部（支持部）２２と、縦枠部２１の下端部同士を接続する下枠部（支持部）２３と、を備えている。下枠部２３には、前方に向かうに従い下方に延びる取付アーム２４が連設されている。なお、背凭れフレーム１１は、例えば樹脂材料からなり、射出成形により一体形成されている。但し、背凭れフレーム１１は、適宜別体で形成しても構わない。
【００２３】
取付ブラケット１３は、取付アーム２４の前端部に設けられている。取付ブラケット１３は、座体４の下方において支基３に取り付けられている。なお、取付ブラケット１３は例えば金属等により構成されている。
【００２４】
背凭れフレーム１１の各枠部２１〜２３には、張材１２を取り付けるための嵌合凹部（凹部）３１〜３３が各枠部２１〜２３の外側に向けて開口するようにして形成されている。嵌合凹部３１〜３３は、縦枠部２１に形成された縦嵌合凹部３１、上枠部２２に形成された上嵌合凹部３２、及び下枠部２３に形成された下嵌合凹部３３である。
【００２５】
図５は、図４のＶ−Ｖ線に沿う断面図である。
図４、図５に示すように、縦嵌合凹部３１は、第１縦凹部３１ａと、第２縦凹部３１ｂと、を有している。なお、各縦嵌合凹部３１は、各縦枠部２１で左右対称の構成であるため、以下の説明では一方（左側）の縦枠部２１に形成された縦嵌合凹部３１について説明し、他方の縦枠部２１に形成された縦嵌合凹部３１の説明は省略する。
【００２６】
第１縦凹部３１ａは、縦枠部２１における左右方向の外側に位置する面（以下、外側面という。）に形成されている。具体的に、第１縦凹部３１ａは、縦枠部２１の外側面から左右方向の内側に向けて窪んでいる。すなわち、第１縦凹部３１ａは、縦枠部２１の外側面上で左右方向の外側に向けて開口している。第１縦凹部３１ａは、縦枠部２１を上下方向に沿って延在している。
【００２７】
第２縦凹部３１ｂは、縦枠部２１の前面において、上下方向に間隔をあけて形成されている。第２縦凹部３１ｂは、縦枠部２１の前面から後方に向けて窪んでいる。第２縦凹部３１ｂの後端部は、第１縦凹部３１ａにおける左右方向の内側端部に連通している。この場合、第１縦凹部３１ａの延在方向と、第２縦凹部３１ｂの延在方向と、は互い直交している。但し、第１縦凹部３１ａの延在方向と、第２縦凹部３１ｂの延在方向と、の交差角度は適宜変更が可能である。なお、図示の例において、第２縦凹部３１ｂの後端部は、第１縦凹部３１ａよりも後方に位置している。
【００２８】
図５に示すように、第１縦凹部３１ａと第２縦凹部３１ｂとの境界部分には、前方に向けて突出する縦枠係合部３５が形成されている。縦枠係合部３５は、左右方向に沿う横断面視において三角形状に形成されている。縦枠係合部３５のうち、左右方向の外側に位置する面（第１縦凹部３１ａの開口部側に位置する面（以下、ガイド面という。））は、第１縦凹部３１ａの内面の一部を画成している。ガイド面は、左右方向の内側に向かうに従い前方に延在する傾斜面になっている。
【００２９】
一方、縦枠係合部３５のうち、左右方向の内側に位置する面（第１縦凹部３１ａの開口部側とは反対側に位置する面（以下、係合面という。））は、第２縦凹部３１ｂの内面の一部を画成している。係合面は、第１縦凹部３１ａの延在方向に直交する方向（第２縦凹部３１ｂの延在方向）に延在する起立面になっている。すなわち、縦枠係合部３５の係合面は、第２縦凹部３１ｂの開口部を通して縦枠部２１の外部に露呈している。第２縦凹部３１ｂの開口部を通して縦枠部２１の外部に「露呈」している場合とは、係合面が第２縦凹部３１ｂの延在方向に面している、又は係合面が第２縦凹部３１ｂの開口部を向いている場合である。なお、「露呈」の定義については、上嵌合凹部３２及び下嵌合凹部３３についても同様である。また、縦枠係合部３５は、第１縦凹部３１ａと第２縦凹部３１ｂとの境界部分に形成されていれば、その突出方向は前方に限らず、後方に突出していても構わない。
【００３０】
図６は、図４のＶＩ−ＶＩ線に沿う断面図である。
図６に示すように、上嵌合凹部３２は、第１上凹部３２ａと、第２上凹部３２ｂと、を有している。
図６に示すように、第１上凹部３２ａは、上枠部２２の後面から前方に向けて窪んでいる。すなわち、第１上凹部３２ａは、上枠部２２の後面で後方に向けて開口している。図４に示すように、第１上凹部３２ａは、上枠部２２を左右方向に沿って延在している。
【００３１】
第２上凹部３２ｂは、上枠部２２における前面において、左右方向に間隔をあけて形成されている。図６に示すように、第２上凹部３２ｂは、上枠部２２の前面から後方に向けて窪んでいる。第２上凹部３２ｂの後端部は、第１上凹部３２ａの前端部に連通している。図示の例において、第１上凹部３２ａの延在方向と、第２上凹部３２ｂの延在方向と、は一致している。したがって、上嵌合凹部３２のうち、第２上凹部３２ｂが形成されている部分は、第１上凹部３２ａ及び第２上凹部３２ｂを通して上枠部２２を前後方向に貫通している。但し、第１上凹部３２ａの延在方向と、第２上凹部３２ｂの延在方向と、の交差角度は適宜変更が可能である。
【００３２】
第１上凹部３２ａと第２上凹部３２ｂとの境界部分には、上方に向けて突出する上枠係合部３６が形成されている。上枠係合部３６は、上下方向に沿う縦断面視において三角形状に形成されている。上枠係合部３６の後面（第１上凹部３２ａの開口部側に位置する面（以下、ガイド面という。））は、第１上凹部３２ａの内面の一部を画成している。ガイド面は、前方に向かうに従い上方に向けて延在する傾斜面になっている。
【００３３】
一方、上枠係合部３６の前面（第１上凹部３２ａの開口部側とは反対側に位置する面（以下、係合面という。））は、第２上凹部３２ｂの内面の一部を画成している。係合面は、第１上凹部３２ａ及び第２上凹部３２ｂの延在方向に直交する方向に延在する起立面になっている。すなわち、上枠係合部３６の係合面は、第２上凹部３２ｂの開口部を通して上枠部２２の外部に露呈している。なお、上枠係合部３６は、第１上凹部３２ａと第２上凹部３２ｂとの境界部分に形成されていれば、その突出方向は上方に限らず、下方に突出していても構わない。
【００３４】
図７は、図４のＶＩＩ−ＶＩＩ線に沿う断面図である。
図４、図７に示すように、下嵌合凹部３３は、第１下凹部３３ａと、第２下凹部３３ｂと、を有している。
図７に示すように、第１下凹部３３ａは、下枠部２３の前面から後方に向けて窪んでいる。すなわち、第１下凹部３３ａは、下枠部２３の前面で前方に向けて開口している。第１下凹部３３ａは、下枠部２３を左右方向に沿って延在している。
【００３５】
図４に示すように、上述した第１下凹部３３ａのうち、左右方向に間隔をあけた複数の箇所は、幅広部３４ａになっている。幅広部３４ａは、第１下凹部３３ａのうち幅広部３４ａ以外の部分（以下、単に幅狭部３４ｂという。）よりも上下方向の幅が広くなっている。具体的に、図７に示すように、幅広部３４ａは、幅狭部３４ｂに対して下方に窪んでいる。この場合、幅広部３４ａ及び幅狭部３４ｂの内面のうち、頂面同士（第１下凹部３３ａの上面）は面一になっている。一方、幅広部３４ａの底面は、幅狭部３４ｂの底面よりも下方に位置している。したがって、下枠部２３のうち、幅広部３４ａの底面を画成する部分は、幅狭部３４ｂの底面を画成する部分に対して下方に膨出する膨出部２３ａになっている。なお、幅広部３４ａの数や位置は適宜変更が可能である。
【００３６】
第２下凹部３３ｂは、下枠部２３のうち、上述した幅広部３４ａに対応する位置に形成されている。第２下凹部３３ｂは、上述した膨出部２３ａの後端部からそれぞれ左右方向の一方側に向けて窪んでいる。すなわち、第２下凹部３３ｂは、幅広部３４ａの後端部において幅広部３４ａ内に連通している。したがって、第１下凹部３３ａ（幅広部３４ａ）の延在方向と、第２下凹部３３ｂの延在方向と、は上下方向から見た平面視で互いに直交している。但し、第１下凹部３３ａの延在方向と、第２下凹部３３ｂの延在方向と、の交差角度は適宜変更が可能である。
【００３７】
上述した第２下凹部３３ｂは、下枠部２３の膨出部２３ａにおいて、左右方向における他方側及び下方に向けて開放されている。なお、本実施形態において、第２下凹部３３ｂにおける左右方向の一方側端部は幅広部３４ａ内で終端している。但し、第２下凹部３３ｂは、下枠部２３の膨出部２３ａを左右方向に貫通していても構わない。
【００３８】
第１下凹部３３ａの底面において、第１下凹部３３ａと第２下凹部３３ｂとの境界部分には、上方に向けて突出する下枠係合部３７が形成されている。下枠係合部３７は、上下方向に沿う縦断面視において三角形状に形成されている。下枠係合部３７の前面（第１下凹部３３ａの開口部側に位置する面（以下、ガイド面という。））は、第１下凹部３３ａの内面の一部を画成している。ガイド面は、後方に向かうに従い上方に向けて延在する傾斜面になっている。
【００３９】
一方、下枠係合部３７の後面（第１下凹部３３ａの開口部側とは反対側に位置する面（以下、係合面という。））は、第２下凹部３３ｂの内面の一部を画成している。係合面は、第１下凹部３３ａの延在方向に交差する方向（第２下凹部３３ｂの延在方向に直交する方向）に延在する起立面になっている。すなわち、下枠係合部３７の係合面は、第２下凹部３３ｂの開口部を通して下枠部２３の外部に露呈している。なお、下枠係合部３７は、第１下凹部３３ａと第２下凹部３３ｂとの境界部分に形成されていれば、その突出方向は上方に限らず、左右方向に突出していても構わない。
【００４０】
［張材］
図３に示すように、張材１２は、背凭れフレーム１１のうち、各枠部２１〜２３で画成された開口部２０を前方から覆っている。具体的に、張材１２は、シート本体５１と、シート本体５１の縁部に設けられた縁材５２〜５４と、を備えている。
シート本体５１は、伸縮性を有する合成樹脂製繊維がメッシュ状に組み合わされて形成されている。したがって、シート本体５１は、厚さ方向に貫通する貫通孔が面方向の全体に亘って間隔をあけて形成されている。シート本体５１は、前後方向から見た平面視外形が背凭れフレーム１１の開口部２０よりも大きくなっている。なお、シート本体５１は、メッシュ状に限らず、例えば布状やフィルム状等を採用することができる。但し、シート本体５１は、厚さ方向に貫通する貫通孔が少なくとも縁部に形成されていることが好ましい。
【００４１】
縁材５２〜５４は、例えばシート本体５１の構成材料よりも剛性が高く、背凭れフレーム１１よりも軟質な（剛性の低い）樹脂材料により形成されている。具体的に、縁材５２〜５４は、シート本体５１の左右両側縁部にそれぞれ設けられた縦縁材５２、シート本体５１の上縁部に設けられた上縁材５３、及びシート本体５１の下縁部に設けられた下縁材５４である。
【００４２】
図５に示すように、縦縁材５２は、上述した縦嵌合凹部３１の第１縦凹部３１ａ内に左右方向の外側から嵌合されている。具体的に、縦縁材５２は、シート本体５１（側縁部）の第１面側に配置された第１縦部材６１と、シート本体５１の第２面側に配置された第２縦部材６２と、各縦部材６１，６２間を連結するヒンジ部（弧状部）６４と、を備えている。縦縁材５２は、第１縦部材６１、第２縦部材６２及びヒンジ部６４が一体で形成されている。なお、各縦縁材５２は、左右対称の構成であるため、以下の説明では一方（左側）の縦縁材５２について説明し、他方の縦縁材５２の説明は省略する。
【００４３】
図８は、縦縁材５２を後方から見た背面図である。なお、図８に示す鎖線は、縦縁材５２のシート本体５１への固定前における第２縦部材６２及びヒンジ部６４を示している。
図５、図８に示すように、第１縦部材６１は、ベース部６５と、ベース部６５から立ち上がる段部６６と、段部６６に形成されたフック部６７と、を有している。
ベース部６５は、前後方向を厚さ方向とし、上下方向に延びる板状に形成されている。なお、ベース部６５は、前後方向から見た正面視外形が縦枠部２１に倣った外形に形成されている。
段部６６は、ベース部６５における左右方向の内側端縁から後方に向けて突設されている。なお、段部６６は、ベース部６５のうち、上述した縦枠係合部３５に対応する部分を避けて上下方向に間隔をあけて形成されている。
【００４４】
図５に示すように、フック部６７は、上述した縦枠係合部３５に左右方向で係合されている。図８に示すように、フック部６７は、前後方向から見た正面視で左右方向の内側に向けて凸のアーチ状に形成されている。フック部６７は、上下方向で隣り合う段部６６同士を接続している。図５に示すように、フック部６７の後面は、左右方向の内側に向かうに従い前方に向けて傾斜するガイド面になっている。一方、フック部６７における左右方向の外側に位置する面は、左右方向に直交する方向に延びる係合面になっている。フック部６７の係合面は、縦枠係合部３５の係合面に左右方向の内側から近接又は当接している。
【００４５】
第２縦部材６２は、縦嵌合凹部３１内において、第１縦部材６１の後方に配置されている。第２縦部材６２は、第１縦部材６１との間にシート本体５１の側縁部を前後方向で挟持している。なお、図８に示すように、第２縦部材６２は、上下方向（第１縦部材６１の延在方向）で複数に分割された状態で、第１縦部材６１（ベース部６５）における上下方向の全体に亘って前後方向で重ね合わされている。但し、第２縦部材６２の分割数は適宜変更可能である。また、第２縦部材６２は、第１縦部材６１のベース部６５と上下方向の長さが同等に有するものを一体で形成しても構わない。
【００４６】
図５に示すように、ヒンジ部６４は、第１縦部材６１及び第２縦部材６２の左右方向の外側端部（縦嵌合凹部３１への挿入方向の手前側端部）同士を連結している。具体的に、ヒンジ部６４は、第１縦部材６１及び第２縦部材６２よりも薄肉に形成されている。ヒンジ部６４は、左右方向の外側に向けて凸の円弧状に形成されている。これにより、ヒンジ部６４は、ヒンジ部６４の径方向（厚さ方向）に弾性変形可能に構成されている。図示の例において、ヒンジ部６４における左右方向の外側端部は、縦嵌合凹部３１（第１縦凹部３１ａ）の開口縁よりも左右方向の内側に位置している。
【００４７】
図５に示すように、第１縦部材６１及び第２縦部材６２は、シート本体５１とともに固着部６３によって固着されている。固着部６３は、シート本体５１の側縁部を厚さ方向に貫通して第１縦部材６１及び第２縦部材６２同士を溶着によって前後方向で固着している。すなわち、固着部６３は、シート本体５１のメッシュ部分（貫通孔）を通して第１縦部材６１と第２縦部材６２との間で濡れ広がった状態で、第１縦部材６１と第２縦部材６２とをシート本体５１とともに固着している。なお、本実施形態において、固着とは溶着や接着等、第１縦部材６１及び第２縦部材６２をシート本体５１とともに化学的に接合することである。
【００４８】
図９は、シート本体５１への固定前の状態を示す図８のＩＸ−ＩＸ線に相当する断面図である。
ここで、図９に示すように、上述した固着部６３は、シート本体５１への固定前の状態において、第２縦部材６２に一体で形成された突起部６８により構成されている。突起部６８は、第２縦部材６２の厚さ方向に突出する円錐形状に形成されている。すなわち、突起部６８は、その基端部から先端部に向かうに従い漸次縮径している。なお、突起部６８の高さは、シート本体５１の厚さよりも高くなっている。
図８に示すように、突起部６８は、第２縦部材６２において、左右方向に間隔をあけた二列で、上下方向に間隔をあけて配列されている。図示の例において、各列の突起部６８同士は、上下方向で異なる位置（互い違い）に配列されている。但し、突起部６８は、第１縦部材６１及び第２縦部材６２の少なくとも一方に形成されていれば構わない。また、突起部６８の形状やレイアウト等は、適宜変更が可能である。例えば、突起部６８の形状は円錐に限らず円柱や角柱、球面状等であっても構わない。
【００４９】
図５に示すように、このように構成された縦縁材５２は、シート本体５１の側縁部を挟み、かつシート本体５１が巻き付けられた状態で、上述したように縦嵌合凹部３１内に嵌合されている。具体的に、シート本体５１のうち、側縁部よりも内周側であって、縦嵌合凹部３１内に位置する部分（以下、内側巻回部６９という。）は、第２縦部材６２における左右方向の内側端部に倣って１８０°折り返されている。すなわち、シート本体５１の内側巻回部６９は、側縁部から９０°折り曲げられて後方に延在した後、さらに９０°折り曲げられて左右方向の外側に延在している。なお、本実施形態では、上述したように縦枠係合部３５のガイド面が左右方向の内側に向かうに従い前方に延在する（第１縦凹部３１ａの開口方向とは逆方向に傾斜する）傾斜面になっている。そのため、シート本体５１の内側巻回部６９のうち第２縦部材６２よりも左右方向に内側に位置する部分と、縦枠係合部３５と、の干渉を避け、シート本体５１の内側巻回部６９のうち第２縦部材６２よりも左右方向に内側に位置する部分に掛かる負荷を低減できる。
【００５０】
さらに、シート本体５１は、縦嵌合凹部３１から引き出された後、縦枠部２１の外周面に倣って縦枠部２１の前方に回り込んでいる。具体的に、シート本体５１のうち、縦枠部２１の外周面に巻き付けられた部分（以下、外側巻回部７０という。）は、内側巻回部６９に対してさらに１８０°折り返されている。すなわち、シート本体５１の外側巻回部７０は、内側巻回部６９から９０°折り曲げられて前方に延在した後、さらに９０°折り曲げられて左右方向の内側に延在している。外側巻回部７０のうち前方に延びる部分は、第２縦部材６２の後方からヒンジ部６４を跨いで縦枠部２１の外側面に架け渡されている。一方、外側巻回部７０のうち左右方向の内側に延びる部分は、縦枠部２１の前面に倣って延在し、上述した第２縦凹部３１ｂを前方から覆っている。なお、図５の例では、縦枠部２１のうち外側面と前面との境界部分は左右方向の外側に向けて凸の円弧状をなしている。
【００５１】
図６に示すように、上縁材５３は、上述した上嵌合凹部３２内に後方から嵌合されている。なお、以下の説明では、上縁材５３において、上述した縦縁材５２と対応する構成については、同一の符号を付して説明を省略する。
上縁材５３は、シート本体５１（上縁部）の第１面側に配置された第１上部材７１と、シート本体５１の第２面側に配置された第２上部材７２と、各上部材７１，７２間を連結するヒンジ部７４と、を備えている。
【００５２】
図１０は、上縁材５３の底面図である。
図１０に示すように、第１上部材７１のベース部６５は、上下方向から見た平面視外形が上枠部２２に倣った外形に形成されている。図６に示すように、第１上部材７１のフック部６７は、上述した上枠係合部３６に前後方向で係合されている。フック部６７の係合面は、上枠係合部３６の係合面に前方から近接又は当接している。
【００５３】
第２上部材７２は、上嵌合凹部３２内において、第１上部材７１の下方に配置されている。第２上部材７２は、第１上部材７１との間にシート本体５１の上縁部を挟持している。
ヒンジ部７４は、第１上部材７１及び第２上部材７２の後端部（上嵌合凹部３２への挿入方向の手前側端部）同士を連結している。
固着部６３は、シート本体５１の上縁部を厚さ方向に貫通して第１上部材７１及び第２上部材７２同士を溶着によって上下方向で固着している。
【００５４】
このように構成された上縁材５３は、シート本体５１の上縁部を挟み、かつシート本体５１が巻き付けられた状態で上嵌合凹部３２内に嵌合されている。具体的に、シート本体５１のうち、上縁部よりも内周側であって、上嵌合凹部３２内に位置する部分（以下、内側巻回部７６という。）は、第２上部材７２における前端部に倣って１８０°折り返されている。すなわち、シート本体５１の内側巻回部７６は、上縁部から９０°折り曲げられて下方に延在した後、さらに９０°折り曲げられて後方に延在している。なお、本実施形態では、上述したように上枠係合部３６のガイド面が前方に向かうに従い上方に向けて延在する（第１上凹部３２ａの開口方向とは逆方向に傾斜する）傾斜面になっている。そのため、シート本体５１の内側巻回部７６のうち第２上部材７２よりも前方に位置する部分と、上枠係合部３６と、の干渉を避け、シート本体５１の内側巻回部７６のうち第２上部材７２よりも前方に位置する部分に掛かる負荷を低減できる。
【００５５】
さらに、シート本体５１は、上嵌合凹部３２から引き出された後、上枠部２２の外周面に倣って上枠部２２の前方に回り込んでいる。具体的に、シート本体５１のうち、上枠部２２の外周面に巻き付けられた部分（以下、外側巻回部７７という。）は、内側巻回部７６に対してさらに２７０°折り返されている。すなわち、シート本体５１の外側巻回部７７は、内側巻回部７６から９０°折り曲げられて上方に延在した後、さらに９０°折り曲げられて前方に延在し、その後さらに９０°折り曲げられて下方に延在している。外側巻回部７７のうち上方に延びる部分は、第２上部材７２の下方からヒンジ部７４を跨いで上枠部２２の後面に架け渡されている。一方、外側巻回部７７のうち下方に延びる部分は、上枠部２２の前面に倣って延在し、上述した第２上凹部３２ｂを前方から覆っている。
【００５６】
図７に示すように、下縁材５４は、上述した下嵌合凹部３３内に前方から嵌合されている。なお、以下の説明では、下縁材５４において、上述した縦縁材５２と対応する構成については、同一の符号を付して説明を省略する。
下縁材５４は、シート本体５１（下縁部）の第１面側に配置された第１下部材８１と、シート本体５１の第２面側に配置された第２下部材８２と、各下部材８１，８２間を連結するヒンジ部８４と、を備えている。
【００５７】
図１１は、下縁材５４の底面図である。
図１１に示すように、第１下部材８１のベース部６５は、上下方向から見た平面視外形が下枠部２３に倣った外形に形成されている。
【００５８】
第２下部材８２は、下嵌合凹部３３内において、第１下部材８１の下方に配置されている。第２下部材８２は、第１下部材８１との間にシート本体５１の下縁部を上下方向で挟持している。
ヒンジ部８４は、第１下部材８１及び第２下部材８２の前端部（下嵌合凹部３３への挿入方向の手前側端部）同士を連結している。
固着部６３は、シート本体５１の下縁部を厚さ方向に貫通して第１下部材８１及び第２下部材８２同士を溶着によって上下方向で固着している。
【００５９】
第１下部材８１のフック部８５は、上下方向から見た平面視で後方に向けて凸のアーチ状に形成されている。フック部８５は、左右方向で隣り合う段部６６同士を接続している。図７に示すように、フック部８５は、上述した下枠係合部３７に前後方向で係合されている。フック部８５の下端部は第２下部材８２よりも下方に突出している。この場合、フック部８５の下端部は、上述した幅広部３４ａのうち幅狭部３４ｂよりも下方に位置する部分に収容されている。また、フック部８５の後面は、後方に向かうに従い上方に向けて傾斜するガイド面になっている。一方、フック部６７の前面は、前後方向に直交する方向に延びる係合面になっている。フック部８５の係合面は、下枠係合部３７の係合面に左右方向の内側から近接又は当接している。
【００６０】
図１２は、図４のＸＩＩ−ＸＩＩ線に沿う断面図である。
図１２に示すように、このように構成された下縁材５４は、シート本体５１の下縁部を挟み、かつシート本体５１が巻き付けられた状態で下嵌合凹部３３内に嵌合されている。具体的に、下縁材５４のうち、第１下凹部３３ａの幅狭部３４ｂ内に位置する部分が幅狭部３４ｂの頂面と底面によって上下方向で挟持されている。一方、図７に示すように、下縁材５４のうち、第１下凹部３３ａの幅広部３４ａ内に位置する部分は、第２下部材８２と幅広部３４ａの底面との間に上下方向に隙間を有している。
【００６１】
図７、図１２に示すように、シート本体５１のうち、下縁部よりも内周側の部分であって、下嵌合凹部３３内に位置する部分（以下、内側巻回部８６という。）は、第２下部材８２における後端部に倣って１８０°折り返されている。すなわち、シート本体５１の内側巻回部８６は、下縁部から９０°折り曲げられて下方に延在した後、さらに９０°折り曲げられて前方に延在している。
【００６２】
さらに、シート本体５１は、下嵌合凹部３３から引き出された後、下枠部２３の外周面に倣って下枠部２３の前方に回り込んでいる。具体的に、シート本体５１のうち、下枠部２３の外周面に巻き付けられた部分（以下、外側巻回部８７という。）は、内側巻回部８６に対してさらに９０°折り返されている。すなわち、シート本体５１の外側巻回部８７は、内側巻回部８６から９０°折り曲げられて上方に延在している。この場合、外側巻回部８７は、第２下部材８２の下方からヒンジ部８４を跨いで下枠部２３の前面に架け渡されている。
【００６３】
これにより、張材１２は、シート本体５１が背凭れフレーム１１の開口部２０を前方から閉塞し、かつ所望の張力が付与された状態で背凭れフレーム１１（各枠部２１〜２３間）に張設されている。
【００６４】
［張材の製造方法］
次に、上述した張材１２の製造方法について説明する。具体的には、シート本体５１と縁材５２〜５４との固定方法について説明する。なお、各縁材５２〜５４の固定方法は、何れも同様の方法である。したがって、以下の説明では、縦縁材５２とシート本体５１の側縁部との固定方法について説明し、その他の縁材５３，５４とシート本体５１の縁部との固定方法についての説明は省略する。
【００６５】
図１３〜図１５は、張材１２の製造方法を説明するための工程図であって、図９に相当する断面図である。
まず、図１３に示すように、第１縦部材６１及び第２縦部材６２を展開した状態で、縦縁材５２を溶着器にセットする（縁材セット工程）。なお、縦縁材５２の第１縦部材６１及び第２縦部材６２は、シート本体５１への固定前の状態において、互いの厚さ方向で接近離間する方向にヒンジ部６４を介して回動可能に構成されている。
次に、第１縦部材６１上にシート本体５１の側縁部をセットする（シートセット工程）。このとき、第１縦部材６１の段部６６側からシート本体５１が引き出されるように、シート本体５１の側縁部をセットする。
【００６６】
続いて、図１４に示すように、第１縦部材６１と第２縦部材６２との間にシート本体５１の側縁部を挟む（挟持工程）。具体的には、第１縦部材６１に対して第２縦部材６２をヒンジ部６４周りに回動させる。これにより、シート本体５１の側縁部を間に挟んで第１縦部材６１と第２縦部材６２とが対向配置される。このとき、第２縦部材６２の回動に伴い、第２縦部材６２に形成された突起部６８がシート本体５１のメッシュ部分を貫通して第１縦部材６１に突き当たる。その後、図示しないクランプ等を用いてシート本体５１及び縦縁材５２（第１縦部材６１及び第２縦部材６２）を厚さ方向に挟持する。なお、第１縦部材６１のうち、突起部６８が突き当たる部分に、突起部６８の先端部を収容する収容凹部を形成しても構わない。
【００６７】
続いて、図１５に示すように、突起部６８を用いて第１縦部材６１及び第２縦部材６２同士をシート本体５１とともに溶着する（固着工程）。本実施形態の固着工程は、例えば超音波溶着により行う。具体的には、縦縁材５２及びシート本体５１を厚さ方向に加圧しながら、第２縦部材６２側から突起部６８に対して超音波を印加する。すると、縦縁材５２のうち、第１縦部材６１と第２縦部材６２との間に介在する突起部６８のみが溶融する。溶融して液状になった樹脂材料は、シート本体５１のメッシュ部分を通過しながら、第１縦部材６１と第２縦部材６２との間をシート本体５１の面方向に濡れ広がる。その後、縦縁材５２を冷却し、溶融した樹脂材料を固化させる。これにより、固化した樹脂材料によって第１縦部材６１及び第２縦部材６２同士がシート本体５１とともに固着される。すなわち、本実施形態では、突起部６８を溶融・固化させることで、第１縦部材６１及び第２縦部材６２同士を固着する固着部６３として機能させる。これにより、シート本体５１が縦縁材５２に固定される。
【００６８】
その後、シート本体５１の上縁部及び下縁部に、上述した方法と同様の方法により上縁材５３や下縁材５４をそれぞれ固定する。
これにより、上述した張材１２が完成する。
【００６９】
［張材の組付方法］
次に、上述した張材１２を背凭れフレーム１１に組み付ける組付方法について説明する。具体的には、各縁材５２〜５４を嵌合凹部３１〜３３内に組み付ける際の作用について説明する。なお、各縁材５２〜５４の組付方法は、何れも同様の方法である。したがって、以下の説明では、縦縁材５２を縦嵌合凹部３１内に組み付ける場合について説明し、その他の縁材５３，５４を嵌合凹部３２，３３内に組み付ける方法については省略する。
【００７０】
まず、縦縁材５２にシート本体５１の内側巻回部６９を巻き付ける。
その後、縦嵌合凹部３１の第１縦凹部３１ａ内に、縦縁材５２を内側巻回部６９とともに押し込む。このとき、縦縁材５２のフック部６７側を第１縦凹部３１ａに向けた状態で、縦縁材５２を第１縦凹部３１ａ内に向けて押し込む。すると、縦縁材５２が第１縦凹部３１ａ内を左右方向の内側に向けて進入していく。
【００７１】
縦縁材５２が第１縦凹部３１ａ内を進入していくと、縦縁材５２におけるフック部６７のガイド面が縦嵌合凹部３１における縦枠係合部３５のガイド面に突き当たる。この状態で、さらに縦縁材５２を左右方向の内側に向けて押し込むと、フック部６７が前方に弾性変形することで、フック部６７のガイド面が縦枠係合部３５のガイド面上を摺接しながら、縦縁材５２が左右方向の内側に進入する。
【００７２】
そして、フック部６７のガイド面が縦枠係合部３５のガイド面を乗り越えた時点で、フック部６７が復元変形する。これにより、フック部６７の係合面が縦枠係合部３５の係合面に左右方向の内側から近接又は当接し、フック部６７が縦枠係合部３５に係合する。
なお、上縁材５３を上嵌合凹部３２に組み付ける場合や、下縁材５４を下嵌合凹部３３に組み付ける場合についても、上述した方法と同様の方法により組み付けることができる。
【００７３】
このように、本実施形態では、縁材５２〜５４のうち、各嵌合凹部３１〜３３への挿入方向における手前側端部に、挿入方向の手前側に向けて凸のヒンジ部６４，７４，８４が各別に形成された構成とした。
この構成によれば、シート本体５１がヒンジ部６４，７４，８４を跨いで背凭れフレーム１１に張設される場合に、ヒンジ部６４，７４，８４に支持されることになり、ヒンジ部６４，７４，８４とシート本体５１との間に作用する面圧を低減できる。
その結果、シート本体５１に所望の張力を付与した上で、シート本体５１の経年劣化を抑制し、信頼性及び耐久性を確保できる。
また、シート本体５１が縁材５２〜５４の手前側端部に引っ掛かったり、シート本体５１のうち縁材５２〜５４の手前側端部で支持している部分に外物が接触したりした場合であっても、シート本体５１に与えられるダメージを抑制できる。
【００７４】
また、本実施形態では、ヒンジ部６４，７４，８４が弾性変形可能に構成されているため、シート本体５１のうちヒンジ部６４，７４，８４に支持された部分に荷重が入力された際にはヒンジ部６４、７４，８４が弾性変形することになる。これにより、シート本体５１に入力される荷重を緩和できる。
【００７５】
さらに、ヒンジ部６４，７４，８４が第１部材６１，７１，８１及び第２部材６２，７２，８２における手前側端部同士を連結する構成とした。
この構成によれば、シート本体５１への荷重入力に伴いヒンジ部６４，７４，８４が弾性変形した場合に、第１部材及び第２部材が両者の隙間内、若しくはシート本体５１の縁部とともにヒンジ部６４，７４，８４の変形に追従する。これにより、ヒンジ部６４，７４，８４と第１部材及び第２部材との連結部分に応力が集中するのを抑制できる。
また、第１部材６１，７１，８１及び第２部材６２，７２，８２の何れか一方のみにヒンジ部６４，７４，８４を形成する場合に比べて、ヒンジ部６４，７４，８４の曲率半径を大きくすることができる。そのため、ヒンジ部６４，７４，８４をより弾性変形させ易くすることができ、シート本体５１に入力される荷重をより低減できる。
【００７６】
そして、本実施形態の背凭れ６及び椅子１では、上述した張材１２を備えているため、縁材５２〜５４とシート本体５１との間に作用する摩擦抵抗を軽減して経年劣化を抑制し、信頼性や耐久性に優れた背凭れ６及び椅子１を提供できる。
【００７７】
なお、上述した実施形態では、挟持工程において、突起部をシート本体５１の厚さ方向に貫通させる構成について説明したが、これに限られない。少なくとも溶融・固化時に固着部がシート本体５１の厚さ方向に貫通していれば構わない。
上述した実施形態では、第１部材及び第２部材がヒンジ部を介して回動可能に連結された構成について説明したが、シート本体５１に接近離間する方向に移動可能であれば、第１部材及び第２部材の連結方法は適宜設計変更が可能である。
【００７８】
［変形例］
次に、本実施形態の変形例について説明する。図１６は、実施形態の変形例に係る図５に相当する断面図である。
本変形例では、縦縁材１１０を一枚で構成した点で上述した実施形態と相違している。なお、以下の説明では、上述した実施形態と同様の構成については、同一の符号を付して説明を省略する。また、以下では、縦縁材１１０を例にして変形例を説明するが、上述した上縁材５３や下縁材５４にも同様の構成を採用することができる。
【００７９】
図１６に示す張材１０１において、縦縁材１１０は、ベース部１１１と、フック部１１２と、を有している。
ベース部１１１は、前後方向を厚さ方向とし、上下方向に延びる板状に形成されている。ベース部１１１の後面には、シート本体５１の側縁部が溶着等によって固着されている。
【００８０】
フック部１１２は、ベース部１１１から左右方向の内側に向けて突設されている。フック部１１２は、縦枠係合部３５に左右方向で係合されている。
【００８１】
ここで、ベース部１１１における左右方向の外側端部には、弧状部１１３が形成されている。弧状部１１３は、左右方向の外側に向けて凸の円弧状に形成されている。具体的に、弧状部１１３は、ベース部１１１における左右方向の端面から後面に亘って形成されている。弧状部１１３の前端縁は、ベース部１１１の前面に稜線を介して連なっている。一方、弧状部１１３の後端縁は、ベース部１１１の後面に滑らかに連なっている。また、弧状部１１３は、縦枠部２１の外側面のうち、縦嵌合凹部３１よりも前側に位置する部分に滑らかに連なっている。
【００８２】
この構成によれば、上述した実施形態と同様の作用効果を奏するとともに、弧状部１１３の後端縁がベース部１１１の後面に滑らかに連なっているため、ベース部１１１の後面と弧状部１１３との間に段差が生じるのを抑制できる。したがって、ベース部１１１の後面と弧状部１１３との境界部分において、シート本体５１に作用する荷重を低減できる。
また、本変形例では、弧状部１１３が縦枠部２１の外側面に滑らかに連なっているため、弧状部１１３と縦枠部２１の側面との間に隙間が生じるのを抑制できる。したがって、弧状部１１３と縦枠部２１の外側面との境界部分において、シート本体５１に作用する荷重を低減できる。なお、弧状部１１３は、ベース部１１１の前面及び後面の双方に滑らかに連なっていても構わない。
【００８３】
また、図１７に示すように、ベース部１１１における左右方向の外側端部に、弾性変形可能な弧状部１１５を形成しても構わない。弧状部１１５は、左右方向の外側に向けて凸のアーチ状に形成されている。弧状部１１５の両端部は、ベース部１１１における左右方向の外側端面に接続されている。
【００８４】
なお、本発明の技術範囲は、上述した各実施形態に限定されるものではなく、本発明の趣旨を逸脱しない範囲において、上述した実施形態に種々の変更を加えたものを含む。すなわち、上述した実施形態で挙げた構成等はほんの一例に過ぎず、適宜変更が可能である。
例えば、上述した実施形態では、椅子１の背凭れ６に用いられる張材１２に本発明を適用した場合について説明したが、これに限られない。例えば、座体４に本発明を適用しても構わない。また、オフィス等の空間を仕切るパネル等、種々の家具に本発明の家具用面構成部材や家具用シートを適用することが可能である。
上述した実施形態では、背凭れフレーム１１の各枠部２１〜２３間に張材１２を張設する構成について説明したが、これに限らず、少なくとも２つの支持部間に張材１２が架設される構成であれば構わない。張材１２を架設する場合には、張材１２に張力が作用していなくても構わない。
【００８５】
上述した実施形態では、超音波溶着や熱溶着によって第１部材及び第２部材同士を溶着する構成について説明したが、これに限らず、種々の溶着方法を採用することができる。また、溶着に限らず、接着等を用いて第１部材及び第２部材同士を固着しても構わない。この場合においても、第１部材と第２部材との間に固着部を介在させた状態で固着工程を行うことで、第１部材及び第２部材をシート本体５１とともに固着できる。
上述した実施形態では、シート本体５１を各縁材５２〜５４に巻回した状態で、各縁材５２〜５４を嵌合凹部３１〜３３内に嵌合する構成について説明したが、これに限られない。
【００８６】
上述した実施形態では、各縁材のうち、嵌合凹部３１〜３３に対して挿入方向の手前側端部に弧状部を形成した場合について説明したが、これに限られない。少なくとも手前側端部に弧状部が形成されていれば、それ以外の任意の位置に弧状部を形成することができる。
【００８７】
その他、本発明の趣旨を逸脱しない範囲で、上述した実施形態における構成要素を周知の構成要素に置き換えることは適宜可能であり、また、上述した各変形例を適宜組み合わせてもよい。
【符号の説明】
【００８８】
１…椅子（家具）
６…背凭れ（家具用面構成部材）
１２…張材（家具用シート）
２１…縦枠部（支持部）
２２…上枠部（支持部）
２３…下枠部（支持部）
３１…縦嵌合凹部（凹部）
３２…上嵌合凹部（凹部）
３３…下嵌合凹部（凹部）
５１…シート本体
５２…縦縁材（縁材）
５３…上縁材（縁材）
５４…下縁材（縁材）
６１…第１縦部材（第１部材）
６２…第２縦部材（第２部材）
６４…ヒンジ部（弧状部）
７１…第１上部材（第１部材）
７２…第２上部材（第２部材）
７４…ヒンジ部（弧状部）
８１…第１下部材（第１部材）
８２…第２下部材（第２部材）
８４…ヒンジ部（弧状部）
１０１…張材（家具用シート）
１１０…縦縁材（縁材）
１１３…弧状部
１１５…弧状部
【図１】
0006617377.tif 000002
【図２】
0006617377.tif 000003
【図３】
0006617377.tif 000004
【図４】
0006617377.tif 000005
【図５】
0006617377.tif 000006
【図６】
0006617377.tif 000007
【図７】
0006617377.tif 000008
【図８】
0006617377.tif 000009
【図９】
0006617377.tif 000010
【図１０】
0006617377.tif 000011
【図１１】
0006617377.tif 000012
【図１２】
0006617377.tif 000013
【図１３】
0006617377.tif 000014
【図１４】
0006617377.tif 000015
【図１５】
0006617377.tif 000016
【図１６】
0006617377.tif 000017
【図１７】
0006617377.tif 000018